(57)【特許請求の範囲】
【請求項１】
表示部を露出するように固定するための枠状の前側筐体と、
スピーカと、
前記前側筐体の裏面側の下端部近傍に一体的に形成され、前記スピーカを前記前側筐体の前面に対して所定の角度傾斜した状態で下方前方に向かって音を出すことが可能なように取り付けるためのスピーカ取付部と、
前記スピーカを保持するとともに、前記スピーカを前記スピーカ取付部に取り付けるための保持部材とを備え、
前記保持部材は、前記スピーカを保持した状態で前記スピーカ取付部と平行になるように形成されたスピーカ保持部と、前記スピーカを保持した状態で前記前側筐体と平行になるように形成された前側筐体取付部とを有している、表示装置。
【請求項２】
前記前側筐体と一体的に形成され、前記スピーカを前記スピーカ取付部に取り付けた際に前記スピーカが前記スピーカ取付部の表面に沿った方向に移動するのを規制するための第１移動規制部をさらに備える、請求項１に記載の表示装置。
【請求項３】
前記前側筐体と一体的に形成され、前記スピーカを前記スピーカ取付部に取り付けた際に前記スピーカが前記スピーカ取付部の表面に対して垂直方向に移動するのを規制して、前記スピーカ取付部に対して前記スピーカを密着させるための第２移動規制部をさらに備える、請求項１または２に記載の表示装置。
【請求項４】
前記前側筐体と一体的に形成され、前記スピーカを前記スピーカ取付部に取り付けた際に前記スピーカが前記スピーカ取付部の表面に沿った方向に移動するのを規制するための第１移動規制部と、
前記前側筐体と一体的に形成され、前記スピーカを前記スピーカ取付部に取り付けた際に前記スピーカが前記スピーカ取付部の表面に対して垂直方向に移動するのを規制して、前記スピーカ取付部に対して前記スピーカを密着させるための第２移動規制部とをさらに備え、
前記保持部材により保持されたスピーカは、前記スピーカ取付部に取り付けられた際に前記スピーカの端辺が前記第１移動規制部および前記第２移動規制部に当接した状態で固定されるように構成されている、請求項１に記載の表示装置。
【請求項５】
前記保持部材の前記前側筐体取付部および前記前側筐体のいずれか一方は、第１位置決め用ボス部を含み、
前記保持部材の前記前側筐体取付部および前記前側筐体の他方は、第１位置決め用穴部を含み、
前記第１位置決め用ボス部が前記第１位置決め用穴部に挿入されることにより、前記スピーカを保持した前記保持部材が前記前側筐体に対して所定の位置に位置決めされるように構成されている、請求項４に記載の表示装置。
【請求項６】
前記保持部材の前記スピーカ保持部および前記スピーカのいずれか一方は、第２位置決め用ボス部を含み、
前記保持部材の前記スピーカ保持部および前記スピーカの他方は、第２位置決め用穴部を含み、
前記第２位置決め用ボス部が前記第２位置決め用穴部に挿入されることにより、前記スピーカを前記保持部材の前記スピーカ保持部により保持されるとともに、前記保持部材が前記スピーカに対して位置決めされるように構成されている、請求項４または５に記載の表示装置。
【請求項７】
前記スピーカ取付部の前記スピーカが取り付けられる面は、前記スピーカからの音を出すための音響穴を含むように構成されている、請求項１〜６のいずれか１項に記載の表示装置。
【発明の詳細な説明】
【技術分野】
【０００１】
この発明は、表示装置に関し、特に、筐体とスピーカとを備えた表示装置に関する。
【背景技術】
【０００２】
従来、筐体とスピーカとを備えた表示装置が知られている（たとえば、特許文献１および２参照）。
【０００３】
上記特許文献１には、枠状に形成された前キャビネット（前側筐体）と、スピーカと、スピーカを前キャビネット（前側筐体）に取り付けた際に表面からスピーカが見えないようにするためのスピーカパネルとを備えた薄型表示装置が開示されている。この薄型表示装置では、前キャビネットの横方向の両端部にそれぞれスピーカおよびスピーカパネルが設置されている。また、スピーカから出る音は前キャビネットの前面から前方に出るように構成されている。
【０００４】
また、上記特許文献２には、スピーカと、スピーカが取り付けられたテレビジョンと、テレビジョンの筐体の前面に取り付けられる飾り板とを備えた表示装置が開示されている。この表示装置では、テレビジョンの横方向の両端部にそれぞれスピーカが設置されている。また、飾り板の横方向の両端部にそれぞれスピーカを保護するためのスピーカネットが取り付けられている。また、スピーカから出る音は飾り板の前面から前方に出るように構成されている。
【０００５】
【特許文献１】特開２００７−１１６２２１号公報
【特許文献２】特開２００４−３２０４２６号公報
【発明の開示】
【発明が解決しようとする課題】
【０００６】
しかしながら、上記特許文献１に記載の薄型表示装置では、前キャビネット（前側筐体）の横方向の両端部にそれぞれスピーカが設置されているため、前キャビネット（前側筐体）横方向の長さが大きくなってしまうという問題点がある。
【０００７】
また、上記特許文献２に記載の表示装置では、テレビジョンの横方向の両端部にそれぞれスピーカが設置されているため、筐体の横方向の長さが大きくなってしまうという問題点がある。
【０００８】
この発明は、上記のような課題を解決するためになされたものであり、この発明の１つの目的は、筐体の横方向の長さを小さくすることが可能な表示装置を提供することである。
【課題を解決するための手段および発明の効果】
【０００９】
この発明の一の局面による表示装置は、表示部を露出するように固定するための枠状の前側筐体と、スピーカと、前側筐体の裏面側の下端部近傍に一体的に形成され、スピーカを前側筐体の前面に対して所定の角度傾斜した状態で下方前方に向かって音を出すことが可能なように取り付けるためのスピーカ取付部と、スピーカを保持するとともに、スピーカをスピーカ取付部に取り付けるための保持部材とを備え、保持部材は、スピーカを保持した状態でスピーカ取付部と平行になるように形成されたスピーカ保持部と、スピーカを保持した状態で前側筐体と平行になるように形成された前側筐体取付部とを有している。
【００１０】
この一の局面による表示装置では、上記のように、前側筐体の裏面側の下端部近傍にスピーカ取付部を備えることによって、スピーカが前側筐体の裏面側の下端部近傍に取り付けられた分、前側筐体の横方向の長さを小さくすることができる。また、スピーカを前側筐体の前面に対して所定の角度傾斜した状態で取り付けることによって、下方前方に向かって音を出すことができるため、前方から音が聞こえにくくなることを抑制することができる。
また、保持部材は、スピーカを保持した状態でスピーカ取付部と平行になるように形成されたスピーカ保持部と、スピーカを保持した状態で前側筐体と平行になるように形成された前側筐体取付部とを有している。これにより、保持部材のスピーカ保持部は、前側筐体の前面に対して所定の角度傾斜した状態でスピーカを取り付けるスピーカ取付部に対して平行に形成されるので、保持部材を前側筐体に取り付けた際に、容易に、保持部材のスピーカ保持部より、スピーカを前側筐体に対して所定の角度傾斜した状態でスピーカ取付部に取り付けることができる。
【００１１】
上記一の局面による表示装置において、好ましくは、前側筐体と一体的に形成され、スピーカをスピーカ取付部に取り付けた際にスピーカがスピーカ取付部の表面に沿った方向に移動するのを規制するための第１移動規制部をさらに備える。このように構成すれば、第１移動規制部により、スピーカをスピーカ取付部の表面に沿った方向に移動するのを抑制した状態で取り付けることができる。
【００１２】
上記一の局面による表示装置において、好ましくは、前側筐体と一体的に形成され、スピーカをスピーカ取付部に取り付けた際にスピーカがスピーカ取付部の表面に対して垂直方向に移動するのを規制して、スピーカ取付部に対してスピーカを密着させるための第２移動規制部をさらに備える。このように構成すれば、第２移動規制部により、スピーカをスピーカ取付部の表面に対して垂直方向に移動するのを抑制した状態で取り付けることができる。これにより、スピーカをスピーカ取付部に密着させて取り付けることができるので、スピーカから出る音を前側筐体の前方に出すことができる。この結果、筐体内に音がこもることを抑制することができる。
【００１３】
上記一の局面による表示装置において、好ましくは、前側筐体と一体的に形成され、スピーカをスピーカ取付部に取り付けた際にスピーカがスピーカ取付部の表面に沿った方向に移動するのを規制するための第１移動規制部と、前側筐体と一体的に形成され、スピーカをスピーカ取付部に取り付けた際にスピーカがスピーカ取付部の表面に対して垂直方向に移動するのを規制して、スピーカ取付部に対してスピーカを密着させるための第２移動規制部とをさらに備え、保持部材により保持されたスピーカは、スピーカ取付部に取り付けられた際にスピーカの端辺が第１移動規制部および第２移動規制部に当接した状態で固定されるように構成されている。このように構成すれば、第１移動規制部および第２移動規制部によりスピーカ取付部の表面に対して移動するのを規制されるとともに、保持部材によりスピーカをスピーカ取付部に対して強固に固定することができる。
【００１５】
上記第１移動規制部と、第２移動規制部と、保持部材とを備えた表示装置において、好ましくは、保持部材の前側筐体取付部および前側筐体のいずれか一方は、第１位置決め用ボス部を含み、保持部材の前側筐体取付部および前側筐体の他方は、第１位置決め用穴部を含み、第１位置決め用ボス部が第１位置決め用穴部に挿入されることにより、スピーカを保持した保持部材が前側筐体に対して所定の位置に位置決めされるように構成されている。このように構成すれば、第１位置決め用ボス部が第１位置決め用穴部に挿入されるように保持部材の前側筐体取付部を配置することにより、容易に前側筐体に対して保持部材を所定の位置に位置決めすることができる。
【００１６】
上記第１移動規制部と、第２移動規制部と、保持部材とを備えた表示装置において、好ましくは、保持部材のスピーカ保持部およびスピーカのいずれか一方は、第２位置決め用ボス部を含み、保持部材のスピーカ保持部およびスピーカの他方は、第２位置決め用穴部を含み、第２位置決め用ボス部が第２位置決め用穴部に挿入されることにより、スピーカを保持部材のスピーカ保持部により保持されるとともに、保持部材がスピーカに対して位置決めされるように構成されている。このように構成すれば、第２位置決め用ボス部が第２位置決め用穴部に挿入されるように保持部材のスピーカ保持部を配置することにより、容易にスピーカに対して保持部材のスピーカ保持部を所定の位置に位置決めすることができる。
【００１７】
上記一の局面による表示装置において、好ましくは、スピーカ取付部のスピーカが取り付けられる面は、スピーカからの音を出すための音響穴を含む。このように構成すれば、スピーカから出る音を音響穴から下方前方に向かって確実に出すことができる。
【発明を実施するための最良の形態】
【００１８】
以下、本発明を具体化した実施形態を図面に基づいて説明する。
【００１９】
図１は、本発明の一実施形態による液晶表示装置の全体構成を示した斜視図である。また、図２〜図１５は、図１に示した本発明の一実施形態による液晶表示装置の詳細な構造を示した図である。まず、図１〜図１５を参照して、本発明の一実施形態による液晶表示装置１の構成について説明する。なお、本実施形態では、表示装置の一例である液晶表示装置１に本発明を適用した場合について説明する。
【００２０】
本発明の一実施形態による液晶表示装置１は、図１に示すように、映像を表示するための液晶パネル２を備えている。また、液晶パネル２は、樹脂製で平面的に見て四角形状の枠状のフロントキャビネット３およびリアキャビネット４により支持されている。また、スタンド５は、液晶パネル２と、フロントキャビネット３と、リアキャビネット４とを支持している。なお、フロントキャビネット３は、本発明の「前側筐体」の一例である。
【００２１】
ここで、本実施形態では、図２に示すように、液晶表示装置１のフロントキャビネット３の裏面側の下端部近傍には、スピーカ６と、ホルダ７と、ネジ８とが取り付けられている。なお、ホルダ７は、本発明の「保持部材」の一例である。
【００２２】
また、本実施形態では、図２〜図１０に示すように、フロントキャビネット３には、スピーカ取付部３１と、補強リブ３２と、滑り止めリブ３３と、固定リブ３４と、ネジ取付用ボス部３５と、位置決め用ボス部３６とが一体的に形成されている。なお、滑り止めリブ３３は、本発明の「第１移動規制部」の一例であり、固定リブ３４は、本発明の「第２移動規制部」の一例であり、位置決め用ボス部３６は、本発明の「第１位置決め用ボス部」の一例である。
【００２３】
また、本実施形態では、スピーカ取付部３１は、図６に示すように、Ｙ方向から見て長方形状を有している。また、スピーカ取付部３１からスピーカ６の音を出すための複数の矩形形状（長穴形状）の音響穴３１ａがＸ方向に等間隔に設けられている。また、スピーカ取付部３１は、図８〜図１０に示すように、スピーカ取付部３１の取付面と、フロントキャビネット３の底面との角度αが約２５度で形成され、下方前方に向かって音を出すことが可能なように構成されている。
【００２４】
また、補強リブ３２は、図３に示すように、フロントキャビネット３と、スピーカ取付部３１との間に設けられている。また、補強リブ３２は、図４および図５に示すように、フロントキャビネット３の長手方向（Ｘ方向）から見て、三角形状に形成されている。この補強リブ３２の一辺はフロントキャビネット３の裏面側に形成され、他の一辺はスピーカ取付部３１の取付面の裏面側に形成されている。
【００２５】
また、本実施形態では、滑り止めリブ３３は、図６および図１０に示すように、Ｙ方向から見て、Ｉ字形状を有している。また、滑り止めリブ３３は、図４および図８に示すように、滑り止めリブ３３の一辺がフロントキャビネット３の裏面側に一体的に形成されている。また、滑り止めリブ３３は、Ｘ方向から見て断面が三角形状になるように形成されている。また、滑り止めリブ３３は、滑り止めリブ３３のスピーカ６と当接する面３３ａの長さＬ１が、スピーカ６と当接しない面３３ｂの長さＬ２よりも大きくなるように形成されている。また、滑り止めリブ３３のスピーカ６と当接する面３３ａは、スピーカ取付部３１の表面に対して直角に形成されている。
【００２６】
また、本実施形態では、固定リブ３４は、図６および図１０に示すように、平面的に見て、Ｔ字形状を有している。また、固定リブ３４は、図５および図９に示すように、フロントキャビネット３の裏面側に一体的に形成されている。また、固定リブ３４は、フロントキャビネット３の裏面に対して垂直方向（Ｙ方向）に突出するように形成されている。また、固定リブ３４は、図１０に示すように、スピーカ６と当接する面３４ａの長さＬ３は、スピーカ６と当接しない面３４ｂの長さＬ４よりも長くなるように形成されている。すなわち、固定リブ３４は、Ｘ方向に延びるように形成されている。この固定リブ３４は、スピーカ６をスピーカ取付部３１に取り付けた際に、スピーカ６をスピーカ取付部３１に対して密着させる機能を有する。
【００２７】
また、ネジ取付用ボス部３５は、図６および図７に示すように、フロントキャビネット３の裏面に一体的に形成されている。また、ネジ取付用ボス部３５は、フロントキャビネット３の裏面に対して垂直方向（Ｙ方向）に突出するように形成されている。また、ネジ取付用ボス部３５は、Ｙ方向から見て円筒形状を有しているとともに、ネジ取付用穴部３５ａを有している。
【００２８】
また、本実施形態では、位置決め用ボス部３６は、図６および図７に示すように、フロントキャビネット３の裏面側に一体的に形成されている。また、位置決め用ボス部３６は、フロントキャビネット３の裏面に対して垂直方向（Ｙ方向）に突出するように形成されている。また、位置決め用ボス部３６は、Ｙ方向から見て円柱形状を有している。また、位置決め用ボス部３６は、ネジ取付用ボス部３５を挟むように所定の間隔を隔てて配置されている。また、ネジ取付用ボス部３５と、位置決め用ボス部３６とを接続するように接続リブ３７が設けられている。
【００２９】
また、本実施形態では、スピーカ６は、図１２に示すように、４つの位置決め用穴部６ａを含んでいる。なお、４つの位置決め用穴部６ａは、本発明の「第２位置決め用穴部」の一例である。また、４つの位置決め用穴部６ａは、円形状を有している。
【００３０】
また、本実施形態では、図１１〜図１５に示すように、ホルダ７は、フロントキャビネット取付部７１と、スピーカ保持部７２とを備えている。フロントキャビネット取付部７１は、１つの位置決め用穴部７１ａと、１つの位置決め用穴部７１ａを挟むように配置された２つのネジ挿入穴７１ｂとを含んでいる。スピーカ保持部７２は、２つの位置決め用ボス部７２ａと、１つのスピーカ係合部７２ｂと、１つの開口部７２ｃとを含んでいる。また、スピーカ保持部７２の裏面には、図１４に示すように、補強リブ７２ｄが設けられている。なお、フロントキャビネット取付部７１は、本発明の「前側筐体取付部」の一例であり、１つの位置決め用穴部７１ａは、本発明の「第１位置決め用穴部」の一例であり、２つの位置決め用ボス部７２ａは、本発明の「第２位置決め用ボス部」の一例である。
【００３１】
また、本実施形態では、図１１〜図１５に示すように、１つの位置決め用穴部７１ａは、円形状を有している。また、１つの位置決め用穴部７１ａは、フロントキャビネット３に設けられた位置決め用ボス部３６に挿入されることにより、スピーカ６を保持したホルダ７がフロントキャビネット３に対して所定の位置に位置決めされるように構成されている。また、図３に示すように、フロントキャビネット取付部７１は、スピーカ６を保持した状態でフロントキャビネット３と平行になるように形成されている。
【００３２】
また、２つのネジ挿入穴７１ｂは、円形状を有している。また、２つのネジ挿入穴７１ｂは、ネジ８が挿入されるように形成されている。また、ネジ８は、２つのネジ挿入穴７１ｂを介してフロントキャビネット３に設けられたネジ取付用ボス部３５のネジ取付用穴部３５ａにねじ込まれることにより、ネジ取付用穴部３５ａの内面にネジが形成されて固定されるように構成されている。
【００３３】
また、本実施形態では、２つの位置決め用ボス部７２ａは、図１１〜図１５に示すように、平面的に見て十字形状を有している。また、２つの位置決め用ボス部７２ａは、スピーカ保持部７２の表面に対して垂直方向に突出するように形成されている。また、２つの位置決め用ボス部７２ａは、図１４に示すように、２つの位置決め用ボス部７２ａの先端部の幅Ｗ１（十字部の外接円の直径）が根元部の幅Ｗ２（十字部の外接円の直径）よりも小さくなるような、いわゆるテーパ形状を有している。また、２つの位置決め用ボス部７２ａは、スピーカ６に設けられた位置決め用穴部６ａに挿入されることにより、スピーカ６をスピーカ保持部７２に保持されるとともに、ホルダ７がスピーカ６に対して位置決めされるように構成されている。また、スピーカ保持部７２は、スピーカ６を保持した状態でスピーカ取付部３１と平行になるように形成されている。また、位置決め用ボス部７２ａの根元部の直径（幅Ｗ２）は、スピーカ６の位置決め用穴部６ａの直径よりも若干大きく形成されている。
【００３４】
また、１つのスピーカ係合部７２ｂは、図１１に示すように、スピーカ６の１つの端辺に係合するように構成されている。また、図１３および図１５に示すように、１つのスピーカ係合部７２ｂは、平面的に見て、長方形形状に形成されている。また、１つのスピーカ係合部７２ｂは、スピーカ保持部７２の長手方向に延びるように形成されている。
【００３５】
また、１つの開口部７２ｃは、図１３および図１５に示すように、スピーカ保持部７２の表面に形成されている。この１つの開口部７２ｃは、図１５に示すように、平面的に見て、長方形形状に形成されている。また、１つの開口部７２ｃは、スピーカ保持部７２の長手方向に延びるように形成されている。また、補強リブ７２ｄは、補強リブ７２ｄの一辺がスピーカ保持部７２の裏面側に形成され、補強リブ７２ｄの他の一辺がフロントキャビネット取付部７１の裏面側に形成されている。
【００３６】
次に、図１６〜図１９は、本発明の一実施形態によるスピーカをスピーカ取付部に取り付ける手順を説明するための図である。図３、図１２および図１６〜図１９を参照して、本発明の一実施形態による液晶表示装置１のスピーカ取付部３１にスピーカ６を取り付ける手順について説明する。
【００３７】
まず、図３、図１２および図１６に示すように、ホルダ７のスピーカ保持部７２は、スピーカ６を保持した状態で、ホルダ７の位置決め用穴部７１ａをフロントキャビネット３の位置決め用ボス部３６に挿入する。そして、図３および図１２に示すように、ホルダ７の位置決め用穴部７１ａがフロントキャビネット３の位置決め用ボス部３６に挿入された状態で、スピーカ６がスピーカ取付部３１の表面に当接されるように配置する。このとき、図１７に示すように、スピーカ６の端辺は、滑り止めリブ３３および固定リブ３４に当接していない。また、フロントキャビネット３のネジ取付用ボス部３５の表面と、ホルダ７のフロントキャビネット取付部７１との間隔Ｄ１は、約１．０ｍｍである。また、固定リブ３４と、スピーカ６との間隔Ｄ２は、約０．７ｍｍである。
【００３８】
次に、図１８に示すように、ネジ８を矢印Ｙ１方向に締め付けることにより、ホルダ７のスピーカ保持部７２に保持されたスピーカ６は、スピーカ取付部３１の表面を滑るようにして矢印Ｙ１方向に移動する。そして、フロントキャビネット３のネジ取付用ボス部３５の表面と、ホルダ７との間隔Ｄ３が０ｍｍになるまでネジ８をネジ取付用穴部３５ａに締め付ける。このとき、スピーカ６の端辺は、固定リブ３４のスピーカ６と当接する面３４ａに対してめり込んだ状態である。このめり込み量Ｄ４は、約０．１ｍｍである。また、ホルダ７は、フロントキャビネット３に対して平行な面と、スピーカ取付部３１に対して平行な面とを有しているため、ネジ８をネジ取付用穴部３５ａに締め付けたときの締結力は、フロントキャビネット３の裏面に向かう方向（矢印Ｙ１方向）と、スピーカ取付部３１に向かう方向（矢印Ａ１方向）とに分けられる。このスピーカ取付部３１に向かう方向（矢印Ａ１方向）への締結力により、スピーカ６はスピーカ取付部３１の表面に対して垂直方向（矢印Ａ１方向）に密着される。
【００３９】
本実施形態では、上記のように、フロントキャビネット３の裏面側の下端部近傍にスピーカ取付部３１を備えることによって、スピーカ６がフロントキャビネット３の裏面側の下端部近傍に取り付けられた分、フロントキャビネット３の横方向の長さを小さくすることができる。また、スピーカ６をフロントキャビネット３の前面に対して所定の角度傾斜した状態で取り付けることによって、下方前方に向かって音を出すことができるため、前方から音が聞こえにくくなることを抑制することができる。
【００４０】
また、本実施形態では、上記のように、フロントキャビネット３と一体的に形成され、スピーカ６をスピーカ取付部３１に取り付けた際にスピーカ６がスピーカ取付部３１の表面に沿った方向に移動するのを規制するための滑り止めリブ３３をさらに備えることによって、滑り止めリブ３３により、スピーカ６をスピーカ取付部３１の表面に沿った方向に移動するのを抑制した状態で取り付けることができる。
【００４１】
また、本実施形態では、上記のように、フロントキャビネット３と一体的に形成され、スピーカ６をスピーカ取付部３１に取り付けた際にスピーカ６がスピーカ取付部３１の表面に対して垂直方向に移動するのを規制して、スピーカ取付部３１に対してスピーカ６を密着させるための固定リブ３４をさらに備えることによって、固定リブ３４により、スピーカ６をスピーカ取付部３１の表面に対して垂直方向に移動するのを抑制した状態で取り付けることができる。これにより、スピーカ６をスピーカ取付部３１に密着させて取り付けることができるので、スピーカ６から出る音をフロントキャビネット３の前方に出すことができる。この結果、筐体内に音がこもることを抑制することができる。
【００４２】
また、本実施形態では、上記のように、フロントキャビネット３と一体的に形成され、スピーカ６をスピーカ取付部３１に取り付けた際にスピーカ６がスピーカ取付部３１の表面に沿った方向に移動するのを規制するための滑り止めリブ３３と、フロントキャビネット３と一体的に形成され、スピーカ６をスピーカ取付部３１に取り付けた際にスピーカ６がスピーカ取付部３１の表面に対して垂直方向に移動するのを規制して、スピーカ取付部３１に対してスピーカ６を密着させるための固定リブ３４と、スピーカ６を保持するとともに、スピーカ６をスピーカ取付部３１に取り付けるためのホルダ７とをさらに備え、ホルダ７により保持されたスピーカ６は、スピーカ取付部３１に取り付けられた際にスピーカ６の端辺が滑り止めリブ３３および固定リブ３４に当接した状態で固定されるように構成されていることによって、滑り止めリブ３３および固定リブ３４によりスピーカ取付部３１の表面に対して移動するのを規制されるとともに、ホルダ７によりスピーカ６をスピーカ取付部３１に対して強固に固定することができる。
【００４３】
また、本実施形態では、上記のように、ホルダ７は、スピーカ６を保持した状態でスピーカ取付部３１と平行になるように形成されたスピーカ保持部７２と、スピーカ６を保持した状態でフロントキャビネット３と平行になるように形成されたフロントキャビネット取付部７１とを有していることによって、ホルダ７のスピーカ保持部７２は、フロントキャビネット３の前面に対して所定の角度傾斜した状態でスピーカ６を取り付けるスピーカ取付部３１に対して平行に形成されるので、ホルダ７をフロントキャビネット３に取り付けた際に、容易に、ホルダ７のスピーカ保持部７２より、スピーカ６をフロントキャビネット３に対して所定の角度傾斜した状態でスピーカ取付部３１に取り付けることができる。
【００４４】
また、本実施形態では、上記のように、ホルダ７のフロントキャビネット取付部７１およびフロントキャビネット３のいずれか一方は、位置決め用ボス部を含み、ホルダ７のフロントキャビネット取付部７１およびフロントキャビネット３の他方は、位置決め用穴部を含み、位置決め用ボス部が位置決め用穴部に挿入されることにより、スピーカ６を保持したホルダ７がフロントキャビネット３に対して所定の位置に位置決めされるように構成されていることによって、位置決め用ボス部が位置決め用穴部に挿入されるようにホルダ７のフロントキャビネット取付部７１を配置することにより、容易にフロントキャビネット３に対してホルダ７を所定の位置に位置決めすることができる。
【００４５】
また、本実施形態では、上記のように、ホルダ７のスピーカ保持部７２およびスピーカ６のいずれか一方は、位置決め用ボス部を含み、ホルダ７のスピーカ保持部７２およびスピーカ６の他方は、位置決め用穴部を含み、位置決め用ボス部が位置決め用穴部に挿入されることにより、スピーカ６をホルダ７のスピーカ保持部７２により保持されるとともに、ホルダ７がスピーカ６に対して位置決めされるように構成されていることによって、位置決め用ボス部が位置決め用穴部に挿入されるようにホルダ７のスピーカ保持部７２を配置することにより、容易にスピーカ６に対してホルダ７のスピーカ保持部７２を所定の位置に位置決めすることができる。
【００４６】
また、本実施形態では、上記のように、スピーカ取付部３１のスピーカ６が取り付けられる面は、スピーカ６からの音を出すための音響穴３１ａを含むことによって、スピーカ６から出る音を音響穴３１ａから下方前方に向かって確実に出すことができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、表示装置の一例として液晶表示装置の例を示したが、本発明はこれに限らず、液晶表示装置以外の表示装置にも適用可能である。
【００４９】
また、上記実施形態では、フロントキャビネットに位置決め用ボス部を設け、ホルダに位置決め用穴部を設ける例を示したが、本発明はこれに限らず、フロントキャビネットに位置決め用穴部を設け、ホルダに位置決め用ボス部を設けてもよい。
【００５０】
また、上記実施形態では、ホルダに位置決め用ボス部を設け、スピーカに位置決め用穴部を設ける例を示したが、本発明はこれに限らず、ホルダに位置決め用穴部を設け、スピーカに位置決め用ボス部を設けてもよい。
【図面の簡単な説明】
【００５１】
【図１】本発明の一実施形態による液晶表示装置の全体構成を示す斜視図である。
【図２】本発明の一実施形態によるスピーカをスピーカ取付部に取り付けた状態の平面図である。
【図３】本発明の一実施形態によるスピーカをスピーカ取付部に取り付けた状態の斜視図である。
【図４】本発明の一実施形態によるスピーカをスピーカ取付部に取り付けた状態の平面図の１００−１００線に沿った断面図である。
【図５】本発明の一実施形態によるスピーカをスピーカ取付部に取り付けた状態の平面図の２００−２００線に沿った断面図である。
【図６】本発明の一実施形態によるスピーカ取付部の平面図である。
【図７】本発明の一実施形態によるスピーカ取付部の斜視図である。
【図８】本発明の一実施形態によるスピーカ取付部の平面図の３００−３００線に沿った断面図である。
【図９】本発明の一実施形態によるスピーカ取付部の平面図の４００−４００線に沿った断面図である。
【図１０】本発明の一実施形態による滑り止めリブおよび固定リブの平面図である。
【図１１】本発明の一実施形態によるスピーカをホルダで保持した状態の斜視図である。
【図１２】本発明の一実施形態によるホルダとスピーカとスピーカ取付部との取り付け状態を示す斜視図である。
【図１３】本発明の一実施形態によるホルダの斜視図である。
【図１４】本発明の一実施形態によるホルダの側面図である。
【図１５】本発明の一実施形態によるホルダの平面図である。
【図１６】本発明の一実施形態によるスピーカをスピーカ取付部に取り付ける手順を説明するための断面図である。
【図１７】本発明の一実施形態によるスピーカをスピーカ取付部に取り付ける手順を説明するための断面図である。
【図１８】本発明の一実施形態によるスピーカをスピーカ取付部に取り付ける手順を説明するための断面図である。
【図１９】本発明の一実施形態によるスピーカをスピーカ取付部に取り付ける手順を説明するための断面図である。
【符号の説明】
【００５２】
１      液晶表示装置（表示装置）
３      フロントキャビネット（前側筐体）
６      スピーカ
６ａ    位置決め用穴部（第２位置決め用穴部）
７      ホルダ（保持部材）
３１    スピーカ取付部
３１ａ  音響穴
３３    滑り止めリブ（第１移動規制部）
３４    固定リブ（第２移動規制部）
３６    位置決め用ボス部（第１位置決め用ボス部）
７１    フロントキャビネット取付部（前側筐体取付部）
７１ａ  位置決め用穴部（第１位置決め用穴部）
７２    スピーカ保持部
７２ａ  位置決め用ボス部（第２位置決め用ボス部）
【図１】
0005125427.tif 000002
【図２】
0005125427.tif 000003
【図３】
0005125427.tif 000004
【図４】
0005125427.tif 000005
【図５】
0005125427.tif 000006
【図６】
0005125427.tif 000007
【図７】
0005125427.tif 000008
【図８】
0005125427.tif 000009
【図９】
0005125427.tif 000010
【図１０】
0005125427.tif 000011
【図１１】
0005125427.tif 000012
【図１２】
0005125427.tif 000013
【図１３】
0005125427.tif 000014
【図１４】
0005125427.tif 000015
【図１５】
0005125427.tif 000016
【図１６】
0005125427.tif 000017
【図１７】
0005125427.tif 000018
【図１８】
0005125427.tif 000019
【図１９】
0005125427.tif 000020